(57)【要約】      （修正有）【課題】通常の歯ブラシでは形態的に磨くことが困難な歯の縦側面を、無理なくかつ少ない開口量で効率的に磨くことを可能にする歯ブラシの技術を提供する。【解決手段】ネック部１５ａに連接する第１屈曲部１６は、ネック部１５ａと１３０度ないし１４０度なる屈曲角θ１をもって屈曲する。第１屈曲部１６に連接する第２屈曲部１７は、第１屈曲部１６と１３０度ないし１４０度なる屈曲角θ２をもって屈曲する。第２屈曲部１７の一端に植毛基台部１８が連接し、植毛基台部１８の植毛面１８ａは柄１５と略直角を成し、横方向に拡開した幅広形状を有しており、植毛面１８ａに植毛された多数本のブラシ繊維１９Ａの繊維方向は、柄１５と略平行を成す。また、刷子部１９は上側のブラシ繊維１９ａの長さに比較して下側のブラシ繊維の長さを長く設定して、刷子部１９全体として台形型の形状を有している。【選択図】図２
0003172269.tif 000002
【実用新案登録請求の範囲】
【請求項１】
把持するための柄と、該柄に連接するネック部と、該ネック部に屈曲角θ１をもって連接する第１屈曲部と、該第１屈曲部に屈曲角θ２をもって連接する第２屈曲部１７と、該第２屈曲部の一端に連接しかつ該第２屈曲部の軸線方向と直角方向に拡開する幅広形状を有する植毛基台部と、該植毛基台部の植毛面に前記柄の軸線方向に平行に植毛された多数本のブラシ繊維からなる刷子部とでなり、該刷子部に植毛されたブラシ繊維の長さは前記第２屈曲部に連接する側が短くかつ前記第２屈曲部に連接する側の反対側になるに従い徐々に長く設定して刷子部を台形型の形状としかつ前記ブラシ繊維の長さは前記植毛基台部に於ける前記第２屈曲部に連接する近傍が最も長く、植毛基台部の両端部にゆくに従い漸次短くなる円弧状を有したことを特徴とする７の字型歯ブラシ。
【請求項２】
前記屈曲角θ１及び屈曲角θ２は１３０度ないし１４０度の範囲に設定したことを特徴とする請求項１に記載の７の字型歯ブラシ。
【考案の詳細な説明】
【技術分野】
【０００１】
本考案は人体の歯列に於いて、下顎及び上顎に於ける前歯の舌側、最後方臼歯の遠心面すなわち人体の中心から遠い側の縦側面、中間欠損部の遠心面や近心面すなわち人体の中心に近い側の縦側面等の通常の歯ブラシでは形態的に磨くことが困難な歯の縦側面を無理なくかつ少ない開口量で効率的に磨くことを可能にする歯ブラシの構造に関する。
【背景技術】
【０００２】
この種、従来の技術に於ける第１の例としては図５に示す技術がある。これについて説明すれば、歯ブラシ１は、柄部２と、刷毛３が多数本植え込まれた頭部４が、ネック部５を介して一体的に連結された構造とされている。先ず、ネック部５の一方の側に位置する柄部２は、ポリエチレンやポリプロピレン等の合成樹脂によって形成されており、長手ロッド状を有している。また、ネック部５の他方の側に位置する頭部４は、ポリエチレンやポリプロピレン等の合成樹脂によって薄肉且つ扁平状に形成された植毛基台部６を有している。そして、この植毛基台部６の一方の平面である植設表面７に対して、ポリアミド樹脂等によって細糸状乃至は針状に形成されたストレートな刷毛３が、該植設表面７の略全面に亘って、植設表面７に対して垂直な方向に突出して多数本植設されている。これによって、頭部４には、植毛基台部６上すなわち植設表面７に、所定長さで突出する多数本の刷毛３からなる毛束部８が形成されている。また、ネック部５は、柄部２や植毛基台部６と同様のポリエチレンやポリプロピレン等の合成樹脂によって形成されており、所定の屈曲角：αだけ屈曲せしめられることによって、柄部２の中心軸に対して略直角に屈曲して形成されている。なお、ここでいう屈曲角：αとは、柄部２の中心軸に対するネック部５の曲がり角度であって、頭部４の柄部２に対する傾斜角度となるものである。上述の如き柄部２、ネック部５および頭部４は、金型の成形キャビティに溶融樹脂材料を射出充填し、冷却，固化する、従来から公知の射出成形法によって一体形成されている。即ち、略直角の屈曲形状を有するネック部５を挟んで柄部２と頭部４すなわち植毛基台部６が一体的に連結されていることによって、植毛基台部６上の毛束部８の植設面すなわち植設表面７が、柄部２に対して略軸直角方向に広がるように形成されていると共に、毛束部８の突出方向が、柄部２の後端側に向かう軸方向と略同一とされている。
また、従来の技術に於ける第２の例としては図６に示す技術がある。これについて説明すれば、１０は裏磨き歯ブラシ９の柄、１１は屈曲部、１２は延長部、１３はブラシ部であって、屈曲部１１は扁平逆Ｕ字状で柄１０の先端から前方に突出させて設けてある。延長部１２は屈曲部１１の下端より下方に延設したものであり、延長部１２の下端にブラシ部１３が設けてある。従って、ブラシ部１３は柄１０より若干下方にある。又、ブラシ部１２は柄９とＴ字状をなし、その毛先が柄９と平行となるように設けてある。
【先行技術文献】
【特許文献】
【０００３】
【特許文献１】特開２００２−５１８３７号公開特許公報
【特許文献２】実開昭５９−５２９３０号公開実用新案公報
【考案の開示】
【考案が解決しようとする課題】
【０００４】
従来の技術は叙上の構成であるので次の課題が存在した。すなわち従来の技術に於ける第１の例に於いては、下顎前歯部舌側歯頸部を磨く際にネック部５が上顎前歯部に衝突することを防ぐために口を大きく開かねばならないという問題点があった。また、下顎前歯部舌側歯間部を磨くために歯ブラシ１全体を上下方向に往復動作させるためには、ネック部５が上顎前歯部に衝突することを防ぐためにさらに口を大きく開かねばならないという問題点があった。また、頭部４に植え込まれた刷毛３の幅が狭いので、歯磨き動作の効率が悪い上に刷毛３の先端の端面全域を常に下顎前歯部舌側歯頸部に接触させる姿勢を保持しながら左右方向に歯ブラシ１全体を往復動作することが困難であるという問題点が存在した。
従来の技術に於ける第２の例に於いては、裏磨き歯ブラシ９のブラシ部１３は柄１０より若干下方に位置しているので、臼歯部の中間欠損部を磨くとき、中間欠損部に於ける歯の遠心面にブラシ部１３の毛先を直角に当接しようとすると、柄１０が手前の歯列に衝突してしまい、中間欠損部に於ける歯の遠心面を磨くことが出来ないという問題点があった。
【課題を解決するための手段】
【０００５】
本考案はかかる問題点を解決するためになされたものであって、次の構成から成立する。
すなわち請求項１記載の考案によれば、把持するための柄と、該柄に連接するネック部と、該ネック部に屈曲角θ１をもって連接する第１屈曲部と、該第１屈曲部に屈曲角θ２をもって連接する第２屈曲部１７と、該第２屈曲部の一端に連接しかつ該第２屈曲部の軸線方向と直角方向に拡開する幅広形状を有する植毛基台部と、該植毛基台部の植毛面に前記柄の軸線方向に平行に植毛された多数本のブラシ繊維からなる刷子部とでなり、該刷子部に植毛されたブラシ繊維の長さは前記第２屈曲部に連接する側が短くかつ前記第２屈曲部に連接する側の反対側になるに従い徐々に長く設定して刷子部を台形型の形状としかつ前記ブラシ繊維の長さは前記植毛基台部に於ける前記第２屈曲部に連接する近傍が最も長く、植毛基台部の両端部にゆくに従い漸次短くなる円弧状を有したことを特徴とする。
【０００６】
請求項２記載の考案によれば、請求項１に記載の考案に於いて、前記屈曲角θ１及び屈曲角θ２は１３０度ないし１４０度の範囲に設定したことを特徴とする。
【考案の効果】
【０００７】
本考案に係る７の字型歯ブラシは叙上の構成を有するので、次の効果がある。
すなわち、請求項１に記載の考案によれば、把持するための柄と、該柄に連接するネック部と、該ネック部に屈曲角θ１をもって連接する第１屈曲部と、該第１屈曲部に屈曲角θ２をもって連接する第２屈曲部１７と、該第２屈曲部の一端に連接しかつ該第２屈曲部の軸線方向と直角方向に拡開する幅広形状を有する植毛基台部と、該植毛基台部の植毛面に前記柄の軸線方向に平行に植毛された多数本のブラシ繊維からなる刷子部とでなり、該刷子部に植毛されたブラシ繊維の長さは前記第２屈曲部に連接する側が短くかつ前記第２屈曲部に連接する側の反対側になるに従い徐々に長く設定して刷子部を台形型の形状としかつ前記ブラシ繊維の長さは前記植毛基台部に於ける前記第２屈曲部に連接する近傍が最も長く、植毛基台部の両端部にゆくに従い漸次短くなる円弧状を有したことを特徴とする７の字型歯ブラシを提供する。
このような構成としたので、下顎前歯部舌側歯頸部を磨くときに於いては、刷子部全体として台形型の形状及び下顎前歯部舌側歯頸部の湾曲した歯列の形状すなわち歯列弓に合わせた形状を有しているので、ブラシ繊維の先端部の全面が歯頸部に有効に当接するので下顎前歯部舌側歯頸部に付着した歯垢を効率的に除去することができ、第１屈曲部を有するので歯磨き動作に於いて上顎前歯列が７の字型歯ブラシに衝突することがないので口腔の開口量を少なくでき、効率的で疲労感のない歯磨き動作を行うことができる。また、最後臼歯部の遠心面を磨くときに於いては、刷子部の毛先を最後臼歯部の遠心面に直角に当接して歯磨き動作を行うことができ、第１屈曲部を有するので、上顎最後臼歯部に７の字型歯ブラシが衝突することがなく最小限度の口腔の開口量で歯磨き動作を行うことができるので最後臼歯部の遠心面に付着した歯垢を効率的に除去することができる。さらに、臼歯部の中間欠損部の遠心面を磨くときに於いては、刷子部を該中間欠損部に入れることができるので、刷子部の毛先を臼歯部の中間欠損部の遠心面に直角に当接して歯磨き動作を行うことができ、第１屈曲部１６を有するので、上顎臼歯部に７の字型歯ブラシが衝突することがなく最小限度の口腔の開口量で歯磨き動作を行うことができるという種々の効果がある。
【０００８】
請求項２に記載の考案によれば、前記屈曲角θ１及び屈曲角θ２は１３０度ないし１４０度の範囲に設定したことを特徴とする請求項１に記載の７の字型歯ブラシを提供する。
このような構成としたので、７の字型歯ブラシの全体形状を小型化することができ、請求項１の効果に加えて、さらに口腔の開口量を少なくして歯磨き動作をすることができるという効果がある。
【図面の簡単な説明】
【０００９】
【図１】本考案に係る７の字型歯ブラシの実施の形態を示す斜視図である。
【図２】本考案に於ける７の字型歯ブラシで下顎前歯部舌側歯頸部を磨くとき、当該７の字型歯ブラシの使用状態を示す模式図であって、（ａ）は正面図、（ｂ）は平面図である。
【図３】本考案に於ける７の字型歯ブラシで最後臼歯部の遠心面を磨くとき、当該７の字型歯ブラシの使用状態を示す模式図であって、（ａ）は正面図、（ｂ）は平面図である。
【図４】本考案に於ける７の字型歯ブラシで臼歯部の中間欠損部の遠心面を磨くとき、当該７の字型歯ブラシの使用状態を示す模式図であって、（ａ）は正面図、（ｂ）は平面図である。
【図５】本考案に係る７の字型歯ブラシの把持部端に通常の刷子部を設けた形態を示す模式図であって、（ａ）は正面図、（ｂ）は平面図である。
【図６】従来の技術に於ける第１の例としての歯ブラシの正面図である。
【図７】従来の技術に於ける第２の例としての歯ブラシの斜視図である。
【考案を実施するための形態】
【００１０】
以下、本考案に係る７の字型歯ブラシに於ける実施の形態について図１ないし図４に基づき詳細に説明する。
【００１１】
図１は人の顔Ｆを示し、人の顔Ｆの口腔Ｍ内の歯列Ｔに於いて、本考案に係る７の字型歯ブラシ１４を使用して下顎前歯部舌側歯頸部２０の近傍を磨いている状態を示している。図２は本考案に於ける７の字型歯ブラシで下顎前歯部舌側歯頸部２０を磨くときの当該７の字型歯ブラシの使用状態を示す模式図であって、（ａ）は正面図、（ｂ）は平面図である。図３は本考案に於ける７の字型歯ブラシで最後臼歯部２１の遠心面２１ａを磨くときの当該７の字型歯ブラシの使用状態を示す模式図であって、（ａ）は正面図、（ｂ）は平面図である。図４は本考案に於ける７の字型歯ブラシで臼歯部の中間欠損部２２の遠心面２２ａを磨くときの当該７の字型歯ブラシの使用状態を示す模式図であって、（ａ）は正面図、（ｂ）は平面図である。
【００１２】
１４は７の字型歯ブラシであって、１５は図示しない人の指及び掌で把持する柄、１５ａは柄１５のネック部、１６は第１屈曲部、１７は第２屈曲部、１８は植毛基台部、１９は刷子部であり、全体形状が略７の字型を有している。柄１５、ネック部１５ａ、第１屈曲部１６、第２屈曲部１７及び植毛基台部１８はポリエチレン樹脂、ポリプロピレン樹脂、アクリル樹脂等の合成樹脂によって一体成形し、植毛基台部１８に多数本を束ねたポリアミド樹脂繊維等によるブラシ繊維１９ａを植毛して刷子部１９を形成している。
【００１３】
柄１５は断面略円形又は楕円形を有する紡錘形状を有して人の指及び掌で容易に把持できる形状を有する。柄１５に連接するネック部１５ａは断面略円形又は楕円形を有する円筒形で、柄１５の最太部より細く形成する。ネック部１５ａに連接する第１屈曲部１６は、ネック部１５ａと屈曲角θ１をもって屈曲する。屈曲角θ１は１２０度ないし１５０度の範囲で設定可能であるが、好ましくは１３０度ないし１４０度に設定する。第１屈曲部１６の断面形状は略円形又は楕円形とするがネック部１５ａよりも更に細く形成するのが好適である。第１屈曲部１６に連接する第２屈曲部１７は、第１屈曲部１６と屈曲角θ２をもって屈曲する。屈曲角θ２は１２０度ないし１５０度の範囲で設定可能であるが、好ましくは１３０度ないし１４０度に設定する。
【００１４】
そして第２屈曲部１７の一端に植毛基台部１８が連接し、植毛基台部１８の植毛面１８ａは柄１５と略直角を成す角度に設定する。植毛面１８は図１及び図２ないし４の（ｂ）に示すように横方向に拡開した幅広形状を有しており、植毛面１８ａに植毛された多数本のブラシ繊維１９Ａの繊維方向は、柄１５と略平行を成す。そして刷子部１９は図２（ａ）及び図４（ａ）に示すように、ブラシ繊維の長さは前記植毛基台部に於ける前記第２屈曲部に連接する近傍すなわち植毛基台部の中央部が最も長く、植毛基台部の両端部にゆくに従い漸次短くなる円弧状を有している。
【００１５】
また、刷子部１９は図３（ａ）及び図４（ａ）に示すように、上側のブラシ繊維１９ａの長さに比較して下側のブラシ繊維１９ｂの長さを長く設定して、刷子部１９全体として台形型の形状を有している。このように刷子部１９を形成したので、ブラシ繊維１９Ａが歯頸部に有効に当接するので、矢印Ａ方向に７の字型歯ブラシ１４を動かす歯磨き動作によって歯頸部の汚れを効率的に除去することができる。
尚、図５（ａ）及び（ｂ）に示すように、柄１５の植毛基台部１８と反対側端部に通常の歯ブラシのように植毛基台部１８Ａを設けてもよい。
【００１６】
次に上述した実施の形態について、歯磨き動作に於ける本考案に係る７の字型歯ブラシ１４の作用・効果等を図２ないし４に基づき説明する。
【００１７】
図２は本考案に係る７の字型歯ブラシ１４で下顎前歯部舌側歯頸部２０を磨くときの当該７の字型歯ブラシ１４の使用状態を示す模式図である。下顎前歯部舌側歯頸部２０のいわゆる前歯の形状は図２（ａ）に示すように、歯根部に接する根元部分２０ａが最も厚く、先端に行くに従い薄くなっている。歯根部に接する根元部分２０ａは歯石の沈着頻度の高い部位であり、本考案に於ける７の字型歯ブラシ１４の刷子部１９は全体として台形型の形状を有しているので、前歯の歯根部に接する根元部分２０ａにブラシ繊維１９Ａが有効に当接することができる。従って矢印Ａ方向に当該７の字型歯ブラシ１４を動かす歯磨き動作によって、下顎前歯部舌側歯頸部２０に付着した歯垢を効率的に除去することができる。また、本考案に係る７の字型歯ブラシ１４は第１屈曲部１６を有するので、前記歯磨き動作に於いて上顎前歯列が接触することがないので口腔の開口量を少なくでき、効率的で疲労感のない歯磨き動作を行うことができる。
【００１８】
図３は本考案に係る７の字型歯ブラシ１４で最後臼歯部２１の遠心面２１ａを磨くときの当該７の字型歯ブラシ１４の使用状態を示す模式図である。最後臼歯部２１の遠心面２１ａに於いては通常の歯ブラシすなわち柄の長手方向に対して直角にブラシ繊維が植毛されている歯ブラシを用いて遠心面２１ａを磨くことは解剖学的に不可能である。本考案に係る７の字型歯ブラシ１４は図３（ａ）に示すように刷子部１９の毛先を最後臼歯部２１の遠心面２１ａに直角に当接して歯磨き動作を行うことができる。また、本考案に係る７の字型歯ブラシ１４は第１屈曲部１６を有するので、図示しない上顎最後臼歯部に当該７の字型歯ブラシが１４衝突することがなく最小限度の口腔の開口量で歯磨き動作を行うことができる。従って矢印Ａ方向に当該７の字型歯ブラシ１４を動かす歯磨き動作によって、最後臼歯部２１の遠心面２１ａに付着した歯垢を効率的に除去することができる。
【００１９】
図４は本考案に係る７の字型歯ブラシ１４で臼歯部の中間欠損部２２の遠心面２２ａを磨くときの当該７の字型歯ブラシ１４の使用状態を示す模式図である。本考案に係る７の字型歯ブラシ１４は図４（ａ）に示すように刷子部１９の毛先を臼歯部の中間欠損部２２の遠心面２２ａに直角に当接して歯磨き動作を行うことができる。また、本考案に係る７の字型歯ブラシ１４は第１屈曲部１６を有するので、図示しない上顎臼歯部に当該７の字型歯ブラシ１４が衝突することがなく最小限度の口腔の開口量で歯磨き動作を行うことができる。従って矢印Ａ方向に当該７の字型歯ブラシ１４を動かす歯磨き動作によって、臼歯部の中間欠損部２２の遠心面２２ａに付着した歯垢を効率的に除去することができる。
【産業上の利用可能性】
【００２０】
本考案に係る７の字型歯ブラシは成人用歯ブラシの他、口腔内が狭小な小児が使用する小児用歯ブラシ用としても適用可能である。
【符号の説明】
【００２１】
１４      ７の字型歯ブラシ
１５      柄
１５ａ    ネック部
１６      第１屈曲部
１７      第２屈曲部
１８      植毛基台部
１８Ａ    植毛基台部
１８ａ    植毛面
１９      刷子部
１９Ａ    ブラシ繊維
１９ａ    上側のブラシ繊維
１９ｂ    下側のブラシ繊維
２０      下顎前歯部舌側歯頸部
２０ａ    歯根部に接する根元部分
２１      最後臼歯部  
２１ａ    最後臼歯部の遠心面
２２      臼歯部の中間欠損部
２２ａ    臼歯部の中間欠損部の遠心面
Ｆ        人の顔
Ｍ        口腔
Ｔ        歯列
【図１】
0003172269.tif 000003
【図２】
0003172269.tif 000004
【図３】
0003172269.tif 000005
【図４】
0003172269.tif 000006
【図５】
0003172269.tif 000007
【図６】
0003172269.tif 000008
【図７】
0003172269.tif 000009
【手続補正書】
【提出日】平成23年9月29日(2011.9.29)
【手続補正１】
【補正対象書類名】図面
【補正対象項目名】図１
【補正方法】変更
【補正の内容】
【図１】
0003172269.tif 000010